(57)【要約】【課題】前方側から容易に目視できるように証紙を貼付する構成としても、遊技領域を広く確保できるパチンコ遊技機を提供すること。【解決手段】パチンコ遊技機１では、証紙４３が、遊技機１の前方側から目視可能として、遊技領域１７に対して前後方向に沿った後方側で重なり、かつ、遊技領域１７側と非遊技領域１８側とに跨って、遊技盤１２の前面１２ａ側に貼付される。証紙４３の前方側における遊技領域１７と非遊技領域１８との境界部位には、遊技球Ｂと摺接して遊技球Ｂを遊技領域１７内に留める区画壁面５３ａが配設される。区画壁面５３ａは、証紙４３の製造番号表示欄４４と会社名表示欄４６とを分断するように、組合証表示欄４５の前方側に、配設されている。【選択図】図２
2011103936.tif 000002
【特許請求の範囲】
【請求項１】
遊技領域と該遊技領域の周囲の非遊技領域とを有した遊技盤の前面側に、証紙が貼付され、
該証紙が、製造番号を表示した製造番号表示欄と製造会社名を表示した会社名表示欄とを相互に離れた両端側に配置させ、前記製造番号表示欄と前記会社名表示欄との間に、組合証を表示した組合証表示欄を配置させて構成されるパチンコ遊技機であって、
前記証紙が、前記遊技機の前方側から目視可能として、前記遊技領域に対して前後方向に沿った後方側で重なり、かつ、前記遊技領域側と前記非遊技領域側とに跨って、貼付され、
前記証紙の前方側における前記遊技領域と前記非遊技領域との境界部位に、遊技球と摺接して前記遊技球を前記遊技領域内に留める区画壁面が配設され、
該区画壁面が、前記製造番号表示欄と前記会社名表示欄とを分断するように、前記組合証表示欄の前方側に、配設されていることを特徴とするパチンコ遊技機。
【請求項２】
前記証紙の前記製造番号表示欄が、前記遊技領域側に配設されていることを特徴とする請求項１に記載のパチンコ遊技機。
【請求項３】
前記証紙の前面側には、前記遊技球との直接接触を防止する透明な保護層が、配設されていることを特徴とする請求項１もしくは請求項２に記載のパチンコ遊技機。
【請求項４】
前記証紙を貼付する貼付台部と、
前記保護層を構成する透明な形状保持性を有した板状のカバー本体部、及び、前記区画壁面を有して前記カバー本体部から前方側に突出する突出部、を有したカバープレートと、
前記証紙を貼付させた前記貼付台部と前記カバープレートとを一体的に組み付けて前記遊技盤に取着可能な取着ベース部と、
を有した証紙組付体を備え、
前記証紙を貼付した前記貼付台部を組み付けた状態の前記証紙組付体を、前記遊技盤に取着させることにより、前記証紙が貼付されることを特徴とする請求項３に記載のパチンコ遊技機。
【請求項５】
前記カバープレートが、前記突出部を含めて透明材料から形成されていることを特徴とする請求項４に記載のパチンコ遊技機。
【発明の詳細な説明】
【技術分野】
【０００１】
本発明は、遊技領域と遊技領域の周囲の非遊技領域とを有した遊技盤の前面側に、製造番号や製造会社名等を記載した証紙が貼付されるパチンコ遊技機に関する。
【背景技術】
【０００２】
従来、製造番号や製造会社名等を記載した証紙は、非遊技領域に貼付されていた。この証紙は、遊技盤の前面枠の小窓から見えるように、遊技盤右下の非遊技領域に、貼付されたり、受け皿の下部ユニットの小窓から見えるように、遊技盤右下の非遊技領域に、貼付される場合があった（例えば、特許文献１，２参照）。さらに、正面から目視できるように、ガイドレールの右外側の非遊技領域に、スペックや賞球数等の表示ラベルとともに、貼付されたり、あるいは、ガラス枠の小窓から見えるように、遊技盤の左右の上隅や右下隅の非遊技領域に、証紙が貼付されるものもあった（例えば、特許文献３，４参照）。
なお、この証紙は、製造番号を表示した製造番号表示欄と製造会社名を表示した会社名表示欄とを相互に離れた両端側に配置させ、製造番号表示欄と会社名表示欄との間に、日本遊技機工業組合の組合証を表示した組合証表示欄を配置させて構成されていた（例えば、特許文献３参照）。
【先行技術文献】
【特許文献】
【０００３】
【特許文献１】特開２００９−２１９９３９号公報
【特許文献２】特開２００７−３１２８１５号公報
【特許文献３】特開２００５−３２９０２９号公報
【特許文献４】特開２００２−０８５７５７号公報
【発明の概要】
【発明が解決しようとする課題】
【０００４】
しかし、従来のパチンコ遊技機では、遊技領域の周囲の非遊技領域に、証紙が貼付される構成であり、その貼付スペースの確保のために、逆に、遊技領域を狭めることになっていた。また、前面枠や下部ユニット等の小窓から証紙を見る構造では、小窓の開口位置自体が、証紙から前方に離れており、証紙の見易さの点で、課題があった。さらに、現在、液晶表示部が拡大される傾向にあって、一層、遊技領域を小さくしてしまう要因が発生していた。
【０００５】
そのため、前方側から容易に目視できるように証紙を貼付する構成としても、遊技領域を広く確保できるパチンコ遊技機が要望されていた。
【０００６】
本発明は、上述の課題を解決するものであり、前方側から容易に目視できるように証紙を貼付する構成としても、遊技領域を広く確保できるパチンコ遊技機を提供することを目的とする。
【課題を解決するための手段】
【０００７】
本発明に係るパチンコ遊技機は、遊技領域と遊技領域の周囲の非遊技領域とを有した遊技盤の前面側に、証紙が貼付され、
証紙が、製造番号を表示した製造番号表示欄と製造会社名を表示した会社名表示欄とを相互に離れた両端側に配置させ、製造番号表示欄と会社名表示欄との間に、組合証を表示した組合証表示欄を配置させて構成されるパチンコ遊技機であって、
証紙が、遊技機の前方側から目視可能として、遊技領域に対して前後方向に沿った後方側で重なり、かつ、遊技領域側と非遊技領域側とに跨って、貼付され、
証紙の前方側における遊技領域と非遊技領域との境界部位に、遊技球と摺接して遊技球を遊技領域内に留める区画壁面が配設され、
区画壁面が、製造番号表示欄と会社名表示欄とを分断するように、組合証表示欄の前方側に、配設されていることを特徴とする。
【０００８】
本発明に係るパチンコ遊技機では、証紙が、製造番号表示欄と会社名表示欄との一方を、遊技領域の後方側に配置させており、遊技球の転動する遊技領域を狭めることなく、証紙を配置できる。すなわち、遊技領域を狭めるような、遊技盤の非遊技領域側に証紙の貼付領域を広く確保しなくともよいことから、遊技領域の面積を狭めることなく、証紙を配置できる。また、本発明に係るパチンコ遊技機では、遊技機のガラス扉のガラス等の透明材を介在させて、遊技機の前方側から目視可能として、証紙が配設されており、証紙が遊技領域側と非遊技領域側とに跨って配設されても、証紙全体を、前方側から容易に目視できる。
【０００９】
さらに、区画壁面を前方側で重ならせている組合証表示欄は、証紙毎に同じであり、組合証表示欄が、区画壁面によって、細部まで目視できなくとも、その表示の確認は、容易に行える。そして、区画壁面と重ならない製造番号表示欄や会社名表示欄の重要な製造番号や製造会社名は、細部まで、容易に目視できることから、証紙の貼付目的は、阻害されない。
【００１０】
さらにまた、証紙は、その全体を遊技領域側に配設する訳ではなく、製造番号表示欄と会社名表示欄との一方の証紙全体の略半分の面積を遊技領域側に配設させるだけであって、極力、遊技領域の意匠性を損なわない。
【００１１】
そして、本発明に係るパチンコ遊技機では、証紙の製造番号表示欄を、遊技領域側に配設することが望ましい。このような構成では、遊技機毎に必ず相違することとなって重要となる製造番号の記載を含んだ製造番号表示欄が、ガラス扉のガラスを介在させて容易に目視できる遊技領域側に、配設されていることから、区画壁面に邪魔されることなく、簡単かつ確実に目視できる。そのため、上記のような構成では、証紙の製造番号表示欄を非遊技領域側に配設する場合に比べて、製造番号表示欄の記載内容を確認し易く、好ましい。
【００１２】
また、本発明に係るパチンコ遊技機では、証紙の前面側には、証紙のめくれ、汚れ、擦れ等の防止のために、遊技領域を転動する遊技球との直接接触を防止する透明な保護層を、配設することが望ましい。なお、この場合の透明は、無色透明の他、証紙の表示内容を目視できれば、青色や黄色等の有色透明であっても良い。
【００１３】
そして、この場合、本発明に係るパチンコ遊技機では、証紙を貼付する貼付台部と、
保護層を構成する透明な形状保持性を有した板状のカバー本体部、及び、区画壁面を有してカバー本体部から前方側に突出する突出部、を有したカバープレートと、
証紙を貼付させた貼付台部とカバープレートとを一体的に組み付けて遊技盤に取着可能な取着ベース部と、
を有した証紙組付体を設け、
証紙を貼付した貼付台部を組み付けた状態の証紙組付体を、遊技盤に取着させることにより、証紙を遊技機に貼付（配設）させることが望ましい。
【００１４】
このような構成では、証紙を貼付した貼付台部とカバープレートとを取着ベース部に組み付けて形成した証紙組付体を、取着ベース部を利用して、遊技盤に取着させれば、証紙を遊技機に配設することができる。そのため、証紙を貼付させた貼付台部を組み付けた証紙組付体を、予め、準備しておけば、パチンコホールにおいて、証紙以外の部位が完成しているパチンコ遊技機に対し、後付けとして、簡単に、証紙組付体ごと、証紙を取り付けることができる。そして、例えば、工場から出荷したパチンコ遊技機が輸送中に故障しても、容易に、現場において、適正機種に対し、証紙組付体ごと、対応する証紙を貼付（配設）することができる。勿論、カバープレートには、区画壁面を有した突出部が配設されており、遊技領域側と非遊技領域側とに跨る貼付領域に証紙を後付けで配設することとしても、遊技球を、区画壁面に規制させて、安定して、遊技領域内に留めることができる。
【００１５】
さらに、この場合、カバープレートを、突出部を含めて透明材料から形成すれば、証紙を遊技領域側と非遊技領域側とに跨がせて配設させる構成としても、カバープレートの突出部自体も透明であることから、区画壁面越しに見ても、証紙の非遊技領域側に配置される部位（会社名表示欄若しくは製造番号表示欄や組合証表示欄）を、容易に目視することができる。
【発明の効果】
【００１６】
本発明に係るパチンコ遊技機では、前方側から容易に目視できるように証紙を貼付する構成としても、遊技領域を広く確保することができる。
【図面の簡単な説明】
【００１７】
【図１】本発明に係る一実施形態のパチンコ遊技機の概略正面図である。
【図２】実施形態のパチンコ遊技機の証紙付近を示す概略部分拡大正面図である。
【図３】実施形態のパチンコ遊技機の証紙付近の概略縦断面図であり、図２のIII−III部位に対応する。
【図４】実施形態のパチンコ遊技機の証紙付近を示す概略部分分解斜視図である。
【図５】実施形態の変形例を示す概略部分分解斜視図である。
【発明を実施するための形態】
【００１８】
（実施形態）
以下、本発明の一実施形態を図面に基づいて説明すると、実施形態のパチンコ遊技機（以下、単に遊技機と略す）１は、図１に示すように、外枠（機枠）２に、遊技盤１２を設けた中枠（内枠）１１と、中枠１１の前面側に位置してガラス扉４を設けたガラス枠ユニット（前面扉ユニット）３と、を、開き可能に取り付けて構成されている。ガラス枠ユニット３には、下部側に、球受け部６を設けた皿ユニット部５が設けられている。皿ユニット部５には、遊技球を遊技盤１２の遊技領域１７に打ち出すために操作するハンドル７や皿球抜きボタン８、通路球抜きボタン９、演出ボタン１０が配設されている。
【００１９】
遊技盤１２は、外側レール１３や内側レール１４、あるいは、右縁側の区画壁面１５、に囲まれて遊技球が転動する遊技領域１７と、遊技領域１７の周囲の遊技球の転動しない非遊技領域１８と、を備えて構成されている。遊技領域１７の中央部には、センター装飾部材２０が配設され、センター装飾部材２０の内側に、画像表示器２１の表示画面２１ａが配設されている。
【００２０】
遊技領域１７のセンター装飾部材２０の周囲には、図示しない釘、風車２３、普通入賞口２４、賞球の無い入賞口（ゲート）２５、第１始動口２６、第２始動口（電動チューリップ）２７、大入賞口（アタッカー）２８、アウト口２９等の公知の部材が配設されて、ハンドル７を操作し、遊技球を外側レール１３と内側レール１４との間から遊技領域１７に打ち出せば、遊技球は、普通入賞口２４、ゲート２５、第１始動口２６、第２始動口２７、大入賞口２８、アウト口２９のいずれかに入球する。そして、遊技球が、普通入賞口２４、第１始動口２６、開放時の第２始動口２７や大入賞口２８に入賞すれば、所定数の遊技球を獲得でき、ゲート２５を通過すれば、抽選により第２始動口２７を所定時間若しくは所定回数開放させることとなる。また、遊技球が、第１始動口２６や開放時の第２始動口２７に入賞すれば、抽選により、大当たり、中当たり、小当たり等の当たりや外れが決定され、当たりとなれば、大入賞口２８を、その当たりに応じて開放時間、開放回数、入賞個数等を制限して、開放することとなる。これらの作動や遊技フローは、公知のものであり、遊技盤１２の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ３８やスピーカ３９等を作動させつつ、所定の演出を画像表示器２１に表示することとなる。
【００２１】
また、非遊技領域１８における遊技盤１２の右下隅には、図柄表示エリア３０が設けられている。図柄表示エリア３０には、図２に示すように、第１始動口２６への入賞を契機に画像表示器２１による装飾図柄の変動表示と同期して第１特別図柄を変動表示する第１特別図柄表示器３１、第２始動口２７への入賞を契機に画像表示器２１による装飾図柄の変動表示と同期して第２特別図柄を変動表示する第２特別図柄表示器３２、第１始動口２６へ入賞した遊技球Ｂの保留球数を最大４個まで表示する第１特別図柄保留ランプ３３、第２始動口２７へ入賞した遊技球Ｂの保留球数を最大４個まで表示する第２特別図柄保留ランプ３４、遊技球Ｂがゲート２５を通過したことを契機に普通図柄を変動表示する普通図柄表示器３５、ゲート２５を通過した遊技球Ｂの保留球数を最大４個まで表示する普通図柄保留ランプ３６、が配設されている。
【００２２】
そして、実施形態の遊技機１では、図１，２に示すように、遊技盤１２の図柄表示エリア３０の上方における遊技領域１７側と非遊技領域１８側とに跨るエリアを、証紙４３を配設する貼付領域４１としている。さらに、この貼付領域４１に配設された証紙４３は、遊技領域１７に対し、前後方向に沿った後方側で重なり、かつ、遊技盤１２の前面１２ａと連なるように、配設されている。実施形態の場合、この貼付領域４１には、証紙４３を貼付した状態で遊技盤１２に取着された証紙組付体４８が、配設されている。
【００２３】
なお、実施形態の遊技機１では、ガラス扉４におけるガラス４ｂを保持した枠本体４ａが、貼付領域４１の前方側において、ガラス４ｂの露出エリアを広げるように、右方側に凹む凹部４ａａを備えている。そのため、実施形態の場合、凹部４ａａの開口を含めた凹部４ａａ付近をガラス扉４の透視部位４ｃとして、貼付領域４１の証紙４３は、透視部位４ｃのガラス４ｂを介在させて、遊技機１の前方側から目視されることとなる。さらに、実施形態の場合、証紙４３は、ガラス４ｂの他、証紙４３の前面を覆う後述する透明なカバープレート５１も介在させて、遊技盤１２の前方側から目視されることとなる。
【００２４】
証紙４３は、図２，４に示すように、正面側（前面側）に、製造番号４４ａ、組合証４５ａ、製造会社名４６ａ等の遊技機情報を記載して構成されている。そして、実施形態の場合、製造番号４４ａを記載した製造番号表示欄４４、製造会社名４６ａを記載した会社名表示欄４６、及び、日本遊技機工業組合の組合証４５ａを記載した組合証表示欄４５が、配設されている。実施形態の場合、製造番号表示欄４４には、製造時期４４ｂも記載され、また、会社名表示欄４６には、適宜、新台か否かの記号も表示される。そして、製造番号表示欄４４と会社名表示欄４６とは、組合証表示欄４５を間にした両端に配設されている。この証紙４３では、少なくとも、製造番号４４ａが、遊技機１の一台ごとに相違することとなって、製造番号表示欄４４の記載が、最も、重要となる。なお、証紙４３の記載内容としては、組合証４５ａが証紙４３毎に同じであることから、製造会社名４６ａを記載する会社名表示欄４６が、製造番号表示欄４４についで、証紙４３毎の識別機能として、重要となる。
【００２５】
そして、この証紙４３は、裏面側に塗布された粘着剤により、貼付台部５０の前面の貼付面５０ａに貼付されている（図３参照）。さらに、実施形態の場合には、証紙４３は、製造番号表示欄４４と会社名表示欄４６とを左右方向に沿って配置させるとともに、製造番号表示欄４４を、遊技領域１７内の左縁側に配置させるように、横向きに配設されている。
【００２６】
証紙組付体４８は、図２〜４に示すように、ＡＢＳ樹脂、ポリアセタール、ポリカーボネイト、アクリル等の合成樹脂から形成されて、実施形態の場合、取着ベース部４９、貼付台部５０、及び、カバープレート５１、の三部品から構成されている。また、カバープレート５１は、透明材料から形成されているものの、取着ベース部４９と貼付台部５０とは、不透明な合成樹脂材料等から形成されている。
【００２７】
そして、取着ベース部４９は、若干前方へ突出しつつ遊技盤１２の前面１２ａと連なるような縦長の略長方形板状として、前面側に貼付台部５０を当てて載せる載置面４９ａを備え、載置面４９ａの外周縁には、貼付台部５０の外周を囲むように、リブ４９ｂが前方側に突設されている。また、取着ベース部４９の載置面４９ａにおける上下の縁側付近と左方の縁側付近とには、貼付台部５０のずれ防止用の挿入孔４９ｃ，４９ｄ，４９ｅが、前後方向に貫通されている。さらに、取着ベース部４９の上下のリブ４９ｂ付近には、カバープレート５１を取り付ける係止孔４９ｆ，４９ｇが、前後方向に貫通されている。
【００２８】
取着ベース部４９の背面側（後面側）には、取着手段４７としての棒状の取着片４７ａが、上下に離れて、後方側に突設されて配設されている。取着手段４７は、これらの取着片４７ａと、遊技盤１２に設けられて前後方向に貫通する取着孔４７ｃと、から構成されている。取着片４７ａには、取着孔４７ｃに嵌挿された際に、取着孔４７ｃの内周面に係止されて抜け止めを図る複数の円盤状の係止リップ部４７ｂが、配設されている。
【００２９】
貼付台部５０は、前面側を証紙４３の貼付用の貼付面５０ａとする縦長の略長方形板状としている。貼付台部５０の背面側には、取着ベース部４９の各挿入孔４９ｃ，４９ｄ，４９ｅに挿入される略四角柱状の係止突起５０ｂ，５０ｃ，５０ｄが後方に突設されている。係止突起５０ｂ，５０ｃ，５０ｄは、対応する挿入孔４９ｃ，４９ｄ，４９ｅに挿入されて、貼付台部５０の取着ベース部４９に対する上下左右へのずれ移動を、規制することとなる。
【００３０】
カバープレート５１は、透明なポリカーボネイトやアクリル等の合成樹脂から形成され、貼付台部５０の前面側に配置されて長方形板状のカバー本体部５２と、カバー本体部５２の前面５２ａ側から前方に突出する突出部５３と、を備えて構成されている。
【００３１】
カバー本体部５２は、貼付台部５０に貼付された証紙４３のめくれ、汚れ、擦れ等を防止するように、証紙４３の遊技球Ｂとの直接接触を防止する保護層としての役目を果たすものである。そのため、カバー本体部５２は、証紙４３の前方側を覆って、前面５２ａを遊技球Ｂの通過スペースＳ（遊技領域１７）の後方側に露出させている。カバー本体部５２の後面側には、取着ベース部４９の上下の係止孔４９ｆ，４９ｇに挿入されて、取着ベース部４９に係止される係止脚５２ｂ，５２ｄが後方側に突設されている。係止脚５２ｂは、取着ベース部４９の上縁側の係止孔４９ｆに挿入されて、取着ベース部４９の後面側における係止孔４９ｆの周縁に係止される係止鉤５２ｃを備え、係止脚５２ｄは、取着ベース部４９の下縁側の係止孔４９ｇに挿入されて、取着ベース部４９の後面側における係止孔４９ｇの周縁に係止される係止鉤５２ｅを備えて構成されている。
【００３２】
カバープレート５１の突出部５３は、正面から見て略Ｊ字形に曲がる帯板状に形成され、遊技領域１７と非遊技領域１８とを区画するとともに、遊技球Ｂと摺接して遊技球Ｂを遊技領域１７内に留める区画壁面５３ａを、曲がった弧面の内周側に配設させて、構成されている。実施形態の場合、区画壁面５３ａは、遊技盤１２の右縁側における遊技領域１７と非遊技領域１８とを区画するように、外側レール１３の内周面に連なる区画壁面１５の一部を構成するもので、上端側から下方側にかけて、区画壁面１５のアウト口２９側の下部１５ａ側に連なるように、湾曲して形成されている。
【００３３】
そして、この証紙組付体４８では、まず、貼付台部５０の貼付面５０ａに、証紙４３を貼付する。ついで、貼付台部５０の各係止突起５０ｂ，５０ｃ，５０ｄを取着ベース部４９の対応する挿入孔４９ｃ，４９ｄ，４９ｅに挿入させつつ、貼付台部５０を、取着ベース部４９の載置面４９ａに当てて載せる。その後、カバープレート５１の係止鉤５２ｅを係止孔４９ｇの下縁側の後面周縁に当てるように、係止脚５２ｄを係止孔４９ｇに挿入させ、さらに、係止鉤５２ｃ側を撓ませつつ係止脚５２ｂを係止孔４９ｆに挿入させて、係止鉤５２ｃを係止孔４９ｆの上縁側の後面周縁に係止させる。すると、カバープレート５１のカバー本体部５２が証紙４３を覆い、かつ、貼付台部５０が取着ベース部４９の載置面４９ａとカバー本体部５２との間で挟持された状態で、カバープレート５１が取着ベース部４９に取り付けられて、証紙組付体４８の組み付けが完了することとなる。
【００３４】
なお、証紙組付体４８は、組付完了時に、取着ベース部４９のリブ４９ｂの前端を、カバープレート５１のカバー本体部５２の前面５２ａと略面一とするように、設定されている。
【００３５】
証紙組付体４８の組付完了後には、取着手段４７としての取着ベース部４９の各取着片４７ａを、遊技盤１２の取着孔４７ｃに挿入させて、取着孔４７ｃの内周面に取着片４７ａの係止リップ部４７ｂを撓ませて係止させれば、証紙組付体４８が遊技盤１２に取着されて、証紙４３を貼付領域４１に配置させることができる。
【００３６】
そして、遊技機１に配設された証紙４３は、区画壁面５３ａが、証紙４３の組合証表示欄４５を左右に分断するように、配設されて、証紙４３の製造番号表示欄４４が、区画壁面５３ａの左方側で正面側（前面側）に露出されるように、配設され、会社名表示欄４６が、区画壁面５３ａの右方側で露出されることとなる。換言すれば、区画壁面５３ａが、製造番号表示欄４４と会社名表示欄４６とを分断するように、組合証表示欄４５の前方側に、配設されることとなる。
【００３７】
（実施形態の作用・効果）
（１）
以上のように、実施形態の遊技機１では、証紙４３が、製造番号表示欄４４と会社名表示欄４６との一方（実施形態では、製造番号表示欄４４）を、遊技領域１７の後方側に配置させており、遊技球Ｂの転動する遊技領域１７を狭めることなく、証紙４３を配置できる。すなわち、遊技領域１７を狭めるような、遊技盤１２の非遊技領域１８側に証紙４３の貼付領域４１を広く確保しなくともよいことから、遊技領域１７の面積を狭めることなく、証紙４３を配置できる。また、実施形態の遊技機１では、遊技機１のガラス扉４のガラス４ｂやカバープレート５１の透明材を介在させて、遊技機１の前方側から目視可能として、証紙４３が配設されており、証紙４３が遊技領域１７側と非遊技領域１８側とに跨って配設されても、証紙４３全体を、前方側から容易に目視できる。
【００３８】
したがって、実施形態の遊技機１では、前方側から容易に目視できるように証紙４３を貼付する構成としても、遊技領域１７を広く確保することができる。
【００３９】
（２）
また、区画壁面５３ａを前方側で重ならせている組合証表示欄４５は、証紙４３毎に同じであり、組合証表示欄４５が、区画壁面５３ａによって、細部まで目視できなくとも、その表示の確認は、容易に行える。そして、区画壁面５３ａと重ならない製造番号表示欄４４や会社名表示欄４６の重要な製造番号４４ａや製造会社名４６ａは、細部まで容易に目視できることから、証紙４３の貼付目的（遊技機１が適正か否かの識別機能）は、阻害されない。
【００４０】
（３）
さらに、証紙４３は、その全体を遊技領域１７側に配設する訳ではなく、製造番号表示欄４４と会社名表示欄４６との一方（実施形態では、製造番号表示欄４４）であって、証紙４３の全体の略半分の面積を遊技領域１７側に配設させるだけであって、極力、遊技領域１７の意匠性を損なわない。
（４）
そして、実施形態の遊技機１では、証紙４３の製造番号表示欄４４を、遊技領域１７側に配設している。すなわち、遊技機１毎に必ず相違することとなって重要となる製造番号４４ａの記載を含んだ製造番号表示欄４４が、ガラス扉４のガラス４ｂを介在させて容易に目視できる遊技領域１７側に、配設されていることから、区画壁面５３ａに邪魔されることなく、簡単かつ確実に目視できる。そのため、上記のような構成では、証紙４３の製造番号表示欄４４を非遊技領域１８側に配設する場合に比べて、製造番号表示欄４４の記載内容を確認し易く、好ましい。
【００４１】
（５）
また、実施形態の遊技機１では、証紙４３の前面側には、遊技領域１７を転動する遊技球Ｂとの直接接触を防止する透明な保護層としてのカバー本体部５２が、配設されており、証紙４３のめくれ、汚れ、擦れ等の防止を図ることができる。
【００４２】
（６）
さらに、実施形態の遊技機１では、証紙４３を貼付した状態の証紙組付体４８を、遊技盤１２に取着させることにより、証紙４３を遊技機１に貼付（配設）させる構成としている。この証紙組付体４８は、証紙４３を貼付する貼付台部５０と、保護層を構成する透明な形状保持性を有した板状のカバー本体部５２、及び、区画壁面５３ａを有してカバー本体部５２から前方側に突出する突出部５３、を有したカバープレート５１と、証紙４３を貼付させた貼付台部５０とカバープレート５１とを一体的に組み付けて遊技盤１２に取着可能な取着ベース部４９と、を備えて構成されている。
【００４３】
このような構成では、既述したように、証紙４３を貼付した貼付台部５０とカバープレート５１とを取着ベース部４９に組み付けて形成した証紙組付体４８を、取着ベース部４９を利用して、遊技盤１２に取着させれば、証紙４３を遊技機１に配設することができる。そのため、証紙４３を貼付させた貼付台部５０を組み付けた証紙組付体４８を、予め、準備しておけば、パチンコホールにおいて、証紙４３以外の部位が完成している遊技機１に対し、後付けとして、簡単に、証紙組付体４８ごと、証紙４３を取り付けることができる。そして、例えば、工場から出荷した遊技機１が輸送中に故障しても、容易に、現場において、適正機種に対し、証紙組付体４８ごと、対応する証紙４３を貼付（配設）することができる。勿論、カバープレート５１には、区画壁面５３ａを有した突出部５３が配設されており、遊技領域１７側と非遊技領域１８側とに跨る貼付領域４１に証紙４３を後付けで配設することとしても、遊技球Ｂを、区画壁面５３ａに規制させて、安定して、遊技領域１７内に留めることができる。
【００４４】
（７）
さらに、実施形態では、カバープレート５１を、突出部５３を含めて透明材料から形成しており、証紙４３を遊技領域１７側と非遊技領域１８側とに跨がせて配設させる構成としても、カバープレート５１の突出部５３自体も透明であることから、区画壁面５３ａ越しに見ても、証紙４３の非遊技領域１８側に配置される部位（実施形態では、組合証表示欄４５の略右半分と会社名表示欄４６）を、容易に目視することができる。
【００４５】
（８）
また、実施形態の証紙組付体４８では、証紙４３を貼付する貼付台部５０が、取着ベース部４９やカバープレート５１と別体として構成されており、証紙４３を別の遊技機１に配設する際、証紙４３だけを貼付台部５０から剥がすことなく、証紙４３を貼付した貼付台部５０ごと、予め準備しておいた他の取着ベース部４９とカバープレート５１とを備えて構成された証紙組付体４８に対し、組み付けることができる。すなわち、上記のような構成では、証紙４３を剥がす手間を無くして、奇麗な状態の取着ベース部４９とカバープレート５１とを備えて構成された証紙組付体４８に対して、簡単に、証紙４３を組み付けることができる。
【００４６】
（変形例）
なお、実施形態では、証紙４３を遊技領域１７側と非遊技領域１８側とに跨って配設させる場合、製造番号表示欄４４側を遊技領域１７側に配置させた場合を示したが、正面から容易に目視できれば、図５に示すように、製造番号表示欄４４側を非遊技領域１８側に配置させるように、左右を逆転させても良い。
【００４７】
また、実施形態では、証紙４３のめくれや汚れ等の防止のために、透明な保護層としてのカバー本体部５２を配設させた場合を示したが、めくれや汚れ等を防止できるように、証紙４３が、貼付領域４１に強固に貼付され、かつ、汚れ難い（擦れ難い）貼付領域４１に配設されれば、保護層は不要となる。
【００４８】
さらに、保護層を設ける場合には、実施形態のカバープレート５１におけるカバー本体部５２のように、形状保持性を有したものでなくとも、可撓性を有した透明なフィルム状のシート材、あるいは、塗布して配設するコーティング層から、保護層を構成しても良い。
【００４９】
また、実施形態では、カバープレート５１の突出部５３が、帯板状に形成される場合を示したが、図５に示すように、区画壁面５３ａの前端から、非遊技領域１８側の証紙４３の前面側を覆うように、遊技盤１２に沿って延びる平板状のカバー部５３ｂを、突出部５３に設けてもよい。このような構成でも、カバー部５３ｂが透明な平板状であることから、容易に、証紙４３の記載内容（図例では、会社名表示欄４６や組合証表示欄４５の記載内容）を目視できる。
【００５０】
さらに、実施形態の証紙組付体４８は、取着ベース部４９、貼付台部５０、及び、カバープレート５１の三部品から構成したが、取着ベース部４９と貼付台部５０とは、一体的に製造された一体成形品から形成し、カバープレート５１と併せた二部品から、証紙組付体４８を構成しても良い。
【００５１】
また、実施形態では、区画壁面５３ａを証紙組付体４８に一体的に組み付けた場合を示したが、区画壁面５３ａを備えた突出部５３の部位を、区画壁面１５と一体的に形成しておいたり、あるいは、別部品として、証紙４３を貼付した貼付台部５０と別に、貼付領域４１に配設するように構成しても良い。
【００５２】
さらにまた、実施形態では、証紙組付体４８を遊技盤１２に取着する取着手段４７として、係止リップ部４７ｂを備えた取着片４７ａを、遊技盤１２に設けた取着孔４７ｃに嵌合させる構造を例示した。しかし、証紙組付体４８を遊技盤１２に取着させる取着手段は、係止リップ部４７ｂのようなばね弾性的に撓んで係止する撓み片やカバー本体部５２の係止脚５２ｂ等のような係止構造を利用する他、証紙組付体４８と遊技盤１２とで相互に対応させて、ボルト・ナット止め構造、リベット止め構造等により、構成してもよい。
【符号の説明】
【００５３】
１…（遊技機）パチンコ遊技機、
１２…遊技盤、
１７…遊技領域、
１８…非遊技領域、
４３…証紙、
４４…製造番号表示欄、
４４ａ…製造番号、
４５…組合証表示欄、
４５ａ…組合証、
４６…会社名表示欄、
４６ａ…製造会社名、
４８…証紙組付体、
４９…取着ベース部、
５０…貼付台部、
５１…カバープレート、
５３…突出部、
５３ａ…区画壁面、
Ｂ…遊技球。
【図１】
2011103936.tif 000003
【図２】
2011103936.tif 000004
【図３】
2011103936.tif 000005
【図４】
2011103936.tif 000006
【図５】
2011103936.tif 000007